(57)【要約】      （修正有）【課題】乗物の可動部材を動作させる操作を、乗物の可動部材が存在しない場所で体験することを可能にする画像再生装置を提供する。【解決手段】画像再生装置１は、操作部１０と、画像再生部３１と、記憶部４０とを備えている。操作部１０は、ユーザーが操作することができるものである。記憶部４０に、乗物の可動部材が動作する画像ファイルが記憶されている。画像再生部３１は、操作部１０が操作されたとき、画像ファイルの再生信号を出力する。【選択図】図１
0003235579.tif 000002
【実用新案登録請求の範囲】
【請求項１】
乗物の可動部材が動作する画像を再生する画像再生装置であり、
ユーザーが操作する操作部と、
前記可動部材が動作する画像ファイルが記憶された記憶部と、
前記操作部が操作されたとき、前記画像ファイルの再生信号を出力する画像再生部とを備えていることを特徴とする動画再生装置。
【請求項２】
前記操作部は、第１操作部と、第２操作部とを有し、
前記記憶部に、前記可動部材が第１の位置から第２の位置へ移動する画像ファイルが記憶され、
前記第１操作部または前記第２操作部が操作されたとき、前記第１操作部および前記第２操作部のいずれが操作されたかを判断する判断部をさらに備え、
前記画像再生部は、前記第１操作部または前記第２操作部が操作されたとき、前記判断部の判断結果を基に前記画像ファイルの再生信号または前記画像ファイルの逆再生信号を出力することを特徴とする請求項１に記載の画像再生装置。
【請求項３】
前記可動部材はドアであり、
前記記憶部に、前記ドアが開く画像ファイルが記憶されていることを特徴とする請求項２に記載の画像再生装置。
【請求項４】
前記乗物は、鉄道車両であることを特徴とする請求項１〜３のいずれか１項に記載の動画再生装置。
【請求項５】
前記記憶部に音声ファイルが記憶されていることを特徴とする請求項１〜４のいずれか１項に記載の動画再生装置。
【考案の詳細な説明】
【技術分野】
【０００１】
本考案は、可動部材が動作する画像を再生する装置に関する。
【背景技術】
【０００２】
運転士や車掌などが行う乗物の操作を体験できるイベントなどがある（例えば、非特許文献１参照）。
【先行技術文献】
【非特許文献】
【０００３】
【非特許文献１】「鉄道博物館」、[online]、［令和３年７月３０日検索］、インターネット<URL：https://www.railway-museum.jp/event/experience.html>
【考案の概要】
【考案が解決しようとする課題】
【０００４】
上述したイベントが開催される場所は、例えば乗物を収容可能な特定の場所に限られる。上述した体験を身近な場所で行えることが望まれる。
【０００５】
本考案の目的は、乗物の可動部材を動作させる操作を、乗物の可動部材が存在しない場所で体験することが可能な装置を提供することである。
【課題を解決するための手段】
【０００６】
本願により開示される画像再生装置は、乗物の可動部材が動作する画像を再生する画像再生装置であり、ユーザーが操作する操作部と、前記可動部材が動作する画像ファイルが記憶された記憶部と、前記操作部が操作されたとき、前記画像ファイルの再生信号を出力する画像再生部とを備えている。
【０００７】
上記装置によると、ユーザーが操作部を操作したとき、乗物の可動部材が動作する画像が再生される。上記装置により、乗物の可動部材が存在しない場所でも、画像ファイルを表示する表示装置が存在する場所で、可動部材を動作させる操作を体験することができる。
【０００８】
上記画像は、静止画でもよく、動画でもよい。画像が静止画である場合、可動部材が動作する画像ファイルは、可動部材の動作開始から動作終了まで、可動部材の位置が異なる複数の静止画のファイルを含んでいてもよい。この場合、画像が再生されるとは、可動部材の位置が変わっていく順に複数の動画が順に表示されることである。複数の動画が順に表示されることにより、可動部材の一連の動作を示す画像となる。画像が動画である場合、動画は、例えば、可動部材の動作開始から動作終了までを含む動画である。
【０００９】
上記装置において、前記操作部は、第１操作部と、第２操作部とを有し、前記記憶部に、前記可動部材が第１の位置から第２の位置へ移動する画像ファイルが記憶され、前記第１操作部または前記第２操作部が操作されたとき、前記第１操作部および前記第２操作部のいずれが操作されたかを判断する判断部をさらに備え、前記画像再生部は、前記第１操作部または前記第２操作部が操作されたとき、前記判断部の判断結果を基に選択された前記画像ファイルの再生信号または前記画像ファイルの逆再生信号を出力することが好ましい。
【００１０】
上記構成によると、例えば、ユーザーが第１操作部を操作したとき、画像が再生されることにより、可動部材が第１の位置から第２の位置へ移動する画像が表示される。ユーザーが第２操作部を操作したとき、画像が逆方向に再生されることにより、可動部材が第２の位置から第１の位置へ移動する画像が表示される。上記装置により、乗物の可動部材が存在しない場所でも、表示装置が存在する場所で、可動部材を移動させた後、元の位置へ戻す操作を体験することができる。
【００１１】
上記装置において、前記可動部材はドアであり、前記記憶部に、前記ドアが開く画像ファイルが記憶されていることが好ましい。
【００１２】
上記構成によると、乗物のドアが存在しない場所でも、乗物のドアの開操作および閉操作を体験することができる。
【００１３】
上記装置において、前記乗物は鉄道車両であることが好ましい。
【００１４】
上記構成によると、鉄道車両が存在しない場所でも、鉄道車両の可動部材を動作させる操作を体験できる。
【００１５】
上記装置において、前記記憶部に音声ファイルが記憶されていることが好ましい。
【００１６】
上記構成によると、例えば、画像と音声を同時に再生することができる。また、画像とは別に、音声だけを再生することができる。これにより、乗物が実際に存在する場所と同様な体験ができる。
【考案の効果】
【００１７】
本考案によると、乗物の可動部材を動作させる操作を、乗物の可動部材が存在しない場所で体験することができる。
【図面の簡単な説明】
【００１８】
【図１】第１実施形態に係る画像再生装置の構成を示すブロック図である。
【図２】（ａ）および（ｂ）は第２実施形態に係る画像再生装置の模式図である。
【図３】第２実施形態に係る画像再生装置の構成を示すブロック図である。
【図４】ドアが開く画像データが再生されたときの最初と途中と最後の画像を示す模式図と、ドアが開く画像データが逆再生されたときの最初と途中と最後の画像を示す模式図である。
【考案を実施するための形態】
【００１９】
〔第１実施形態〕
ここでは、本考案の第１実施形態に係る画像再生装置１について、図１を参照しつつ以下に説明する。
【００２０】
図１に、画像再生装置１の構造のブロック図を示している。画像再生装置１は、乗物の可動部材が動作する画像を再生する装置である。
【００２１】
画像再生装置１は、画像表示装置１００に電気的に接続されている。画像表示装置１００は、画像が表示される画像表示部１００ａを備えている。画像表示部１００ａは、例えば液晶画面である。画像表示装置１００として、例えば、テレビ、パソコン用モニタ、携帯端末（ノート型パソコン、タブレット型パソコン、携帯電話など）が挙げられる。画像再生装置１と画像表示装置１００は、有線で接続されていてもよく、無線で接続されていてもよい。
【００２２】
画像再生装置１は、操作部１０と、コンピュータ２０とを備えている。
【００２３】
操作部１０は、ユーザーが操作することが可能なものである。操作部１０は、例えば、可動部材の動作を開始させるスイッチ、ハンドルまたはボタンでもよい。
【００２４】
コンピュータ２０は、ＣＰＵ３０と、記憶部４０とを有する。
【００２５】
記憶部４０に、乗物の可動部材が動作する画像ファイルが記憶されている。画像ファイルは、静止画のファイルでもよく、動画のファイルでもよい。画像ファイルが静止画のファイルである場合、画像ファイルは、例えば、可動部材の動作開始から動作終了まで、可動部材の位置が異なる複数の静止画のファイルを含んでいてもよい。静止画のファイルとしてＪＰＥＧ、ＢＭＰ、ＰＭＧ、ＧＩＦなどが挙げられるが、これらに限定されない。画像ファイルが動画のファイルである場合、画像ファイルは、例えば、可動部材の一連の動作が映った動画のファイルでもよい。動画ファイルとしてｍｐ４、ＡＶＩ、ＭＯＶなどが挙げられるが、これらに限定されない。
【００２６】
記憶部４０には、上述した画像ファイルのほかに、画像ファイルを再生するプログラムなども記憶されている。記憶部４０としてＳＤカード（ＳＤ：Ｓｅｃｕｒｅ Ｄｉｇｉｔａｌ）、ＵＳＢメモリ（ＵＳＢ：Ｕｎｉｖｅｒｓａｌ Ｓｅｒｉａｌ Ｂｕｓ）などが挙げられるが、これらに限定されない。
【００２７】
ＣＰＵ３０上で記憶部４０に記憶されたプログラムが実行されることにより、画像再生部３１が構成される。操作部１０が操作されたら、画像再生部３１は、記憶部４０に記憶された画像ファイルを再生し、画像表示装置１００に画像ファイルの再生信号を出力する。画像表示装置１００の画像表示部１００ａに再生された画像が表示される。
【００２８】
上記装置によると、ユーザーが操作部１０を操作したら、画像表示装置１００で乗物の可動部材が動作する再生画像が表示される。画像表示装置１００が存在する場所であれば、乗物の可動部材が存在しない場所でも、乗物の可動部材を動作させる操作を体験することができる。
【００２９】
〔第２実施形態〕
次に、本考案の第２実施形態に係る画像再生装置２０１について、図２〜図４を参照しつつ以下に説明する。ここでは、本考案の画像再生装置の一例として、鉄道車両のドアが開く画像ファイルを再生および逆再生可能な画像再生装置２０１について説明する。
【００３０】
画像再生装置２０１は、乗客の乗降口のドアが開く画像を再生する装置である。
【００３１】
画像再生装置２０１は、図２（ａ）に示すように、画像表示装置３００に電気的に接続されている。画像表示装置３００は、画像が表示される画像表示部３００ａと、音声が出るスピーカー３００ｂとを備えている。画像表示部３００ａは、例えば液晶画面である。画像表示装置３００として、例えば、テレビ、パソコン用モニタ、携帯端末（ノート型パソコン、タブレット型パソコン、携帯電話など）が挙げられる。画像再生装置２０１と画像表示装置３００は、有線で接続されていてもよく、無線で接続されていてもよい。
【００３２】
画像再生装置２０１は、図２（ａ）に示すように、第１操作部２１１と、第２操作部２１２と、コンピュータ２２０と、筐体２６０とを備えている。
【００３３】
第１操作部２１１と第２操作部２１２は棒状である。第１操作部２１１と第２操作部２１２は、筐体２６０内で接続されている。第１操作部２１１は、図２（ａ）に示すように、上がった状態で、ユーザーが押し下げることが可能に形成されている。第１操作部２１１が押し下げられるのと同時に第２操作部２１２が下がる（図２（ｂ）参照）。
【００３４】
第２操作部２１２は、図２（ｂ）に示すように、下がった状態で、ユーザーが押し上げることが可能に形成されている。第２操作部２１２が押し上げられるとのと同時に第１操作部２１１が上がる（図２（ａ）参照）。
【００３５】
画像再生装置２０１は、第１操作部２１１の押し下げ（図２（ａ）参照）と第２操作部２１２の押し上げ（図２（ｂ）参照）を同時に行うことができないように構成されている。鉄道車両のドアを開くとき、第１操作部２１１が押し下げられる。鉄道車両のドアを閉じるとき、第２操作部２１２が押し上げられる。
【００３６】
コンピュータ２２０は、例えば、図２（ａ）および図２（ｂ）に示すように、筐体２６０内にあってもよく、筐体２６０の外面に取り付けられていてもよい。
【００３７】
図３に、画像再生装置２０１の構成のブロック図を示している。
【００３８】
コンピュータ２２０は、ＣＰＵ２３０と、記憶部２４０とを有する。
【００３９】
記憶部２４０に、画像ファイルと、音声ファイルとが記録されている。静止画のファイルとして、第１実施形態で説明したように、ＪＰＥＧ、ＢＭＰ、ＰＭＧ、ＧＩＦなどが挙げられるが、これらに限定されない。音声ファイルとして、ＷＡＶＥ、ＡＩＦＥ、ＭＰ３などが挙げられるが、これらに限定されない。
【００４０】
画像ファイルは、鉄道車両のドアが完全に閉じた位置（第１の位置）から完全に開いた位置（第２の位置）まで移動する画像のファイルである（図４参照）。ドアが完全に閉じた位置（第１の位置）とは、ドアが、これ以上、閉じる方向に移動できない位置である（図４参照）。ドアが完全に開いた位置（第２の位置）とは、ドアが、これ以上、開く方向に移動できない位置である。
【００４１】
画像ファイルは、第１実施形態で説明した画像ファイルと同様に、静止画のファイルでもよく、動画のファイルでもよい。本実施形態では、画像ファイルに、複数の静止画のファイルが含まれる。複数の静止画のファイルは、鉄道車両のドアが完全に閉じた位置（第１の位置）から完全に開いた位置（第２の位置）まで、ドアの位置が少しずつ異なる複数の静止画のファイルである。画像ファイルを再生した場合、複数の静止画が、ドアの位置が完全に開いた位置（第２の位置）に近づく順に表示されることにより、鉄道車両のドアの開動作を示す画像となる。画像ファイルを逆再生した場合、複数の静止画が、ドアの位置が完全に閉じた位置（第１の位置）に近づく順に表示されることにより、鉄道車両のドアの閉動作を示す画像となる。
【００４２】
記憶部２４０に記憶された音声ファイルは、１種類の音声ファイルでもよく、複数種類の音声ファイルでもよい。本実施形態では、記憶部２４０に、第１音声ファイルと第２音声ファイルとが記憶されている。第１音声ファイルは、鉄道車両のドアが開動作していることを知らせる第１音声のファイルである。第２音声ファイルは、鉄道車両のアが閉動作していることを知らせる第２音声のファイルである。
【００４３】
記憶部２４０には、画像ファイルおよび音声ファイルのほかに、画像ファイルおよび音声ファイルを再生するプログラムなども記憶されている。
【００４４】
ＣＰＵ２３０上でプログラムが実行されることにより、判断部２３１と画像再生部２３２とが構成される。
【００４５】
判断部２３１は、第１操作部２１１または第２操作部２１２が操作されたら、第１操作部２１１と第２操作部２１２のいずれが操作されたかを判断する。判断部２３１は、画像再生部２３２へ、判断結果に基づいて、画像ファイルを再生する信号または画像ファイルを逆再生する信号を出力する。また、判断部２３１は、画像再生部２３２へ、判断結果に基づいて、第１音声ファイルを再生する信号または第２音声ファイルを再生する信号を出力する。具体的には、第１操作部２１１が操作されたら、判断部２３１から画像再生部２３２へ画像ファイルを再生する信号と第１音声ファイルを再生する信号とが出力される。第２操作部２１２が操作されたら、判断部２３１から画像再生部２３２へ画像ファイルを逆再生する信号と第２音声ファイルを再生する信号とが出力される。
【００４６】
画像再生部２３２は、画像ファイルを再生する信号と第１音声ファイルを再生する信号を受けたら、記憶部２４０に記憶された画像ファイルおよび第１音声ファイルを再生し、画像ファイルの再生信号と第１音声ファイルの再生信号を画像表示装置３００に出力する。例えば、画像ファイルに、鉄道車両のドアが完全に閉じた位置（第１の位置）から完全に開いた位置（第２の位置）まで、ドアの位置が少しずつ異なる複数の静止画のファイルが含まれる場合、画像ファイルの再生信号は、複数の静止画の信号が、ドアの位置が完全に開いた位置（第２の位置）に近づく順に送られるものであってもよい。画像表示装置３００に画像ファイルの再生信号と第１音声ファイルの再生信号が入力されたら、画像表示部３００ａに再生された画像が表示されるとともに、スピーカー３００ｂから第１音声が出る。
【００４７】
画像再生部２３２は、画像ファイルを逆再生する信号と第２音声ファイルを再生する信号を受けたら、記憶部２４０に記憶された画像ファイルを逆再生するとともに記憶部２４０に記憶された第２音声ファイルを再生し、画像ファイルの逆再生信号と第２音声ファイルの再生信号を画像表示装置３００に出力する。例えば、画像ファイルに、鉄道車両のドアが完全に閉じた位置（第１の位置）から完全に開いた位置（第２の位置）まで、ドアの位置が少しずつ異なる複数の静止画のファイルが含まれる場合、画像ファイルの逆再生信号は、複数の静止画の信号が、ドアの位置が完全に閉じた位置（第１の位置）に近づく順に送られるものであってもよい。画像表示装置３００に画像ファイルの逆再生信号と第２音声ファイルの再生信号が入力されたら、画像表示部３００ａに逆再生された画像が表示されるとともに、スピーカー３００ｂから第２音声が出る。
【００４８】
例えば、ユーザーが鉄道車両のドアを開くとき、ユーザーは第１操作部２１１を押し下げる（図２（ａ）参照）。第１操作部２１１が押し下げられたら、判断部２３１（図３参照）は第１操作部２１１が操作されたと判断する。判断部２３１は、画像再生部２３２へ、第１操作部２１１が操作されたという判断結果を基に、画像ファイルを再生する信号と第１音声ファイルを再生する信号とを出力する。画像再生部２３２がこれらの信号を受けたら、画像再生部２３２は記憶部２４０に記憶された画像ファイルを再生するとともに記憶部２４０に記憶された第１音声ファイルを再生し、画像ファイルの再生信号と第１音声ファイルの再生信号を画像表示装置３００に出力する。画像表示装置３００に画像ファイルの再生信号と第１音声ファイルの再生信号が入力されたら、画像表示部３００ａに鉄道車両のドアが開く画像が表示されるとともに、鉄道車両のドアが開動作していることを知らせる第１音声がスピーカー３００ｂ（図３参照）から出る。
【００４９】
図４に、ユーザーが第１操作部２１１を押し下げたときの画像表示部３００ａを示している。ユーザーが第１操作部２１１を押し下げたら（図２（ａ）参照）、画像データが再生されるとともに第１音声が再生され、図４に示すようにドアの開動作の画像が表示されつつ第１音声が鳴る。図４には、開動作の最初と途中と最後の画像だけを示し、その他の画像を省略している。実際は、ドアの位置が少しずつ異なる複数の静止画が、ドアの位置が完全に開いた位置（第２の位置）に近づく順に表示されることにより、ドアが開く一連の動作が表示される。
【００５０】
鉄道車両のドアを閉じるとき、ユーザーは第２操作部２１２を押し上げる（図２（ｂ）参照）。第２操作部２１２が押し上げられたら、判断部２３１（図３参照）は第２操作部２１２が操作されたと判断する。判断部２３１は、画像再生部２３２へ、第２操作部２１２が操作されたという判断結果を基に、画像ファイルを逆再生する信号と第２音声ファイルを再生する信号とを出力する。画像再生部２３２がこれらの信号受けたら、画像再生部２３２は、記憶部２４０に記憶された画像ファイルを逆再生するとともに記憶部２４０に記憶された第２音声ファイルを再生し、画像ファイルの逆再生信号と第２音声ファイルの再生信号を画像表示装置３００に出力する。画像表示装置３００に画像ファイルの逆再生信号と第２音声ファイルの再生信号が入力されたら、画像表示部３００ａに、鉄道車両のドアが閉まる画像が表示されるとともに、鉄道車両のドアが閉動作していることを知らせる第２音声がスピーカー３００ｂ（図３参照）から出る。
【００５１】
図４に、ユーザーが第２操作部２１２を押し上げたときの画像表示部３００ａを示している。ユーザーが第２操作部２１２を押し上げたら（図２（ｂ）参照）、画像が逆再生されるとともに第２音声が再生され、図４に示すようにドアの閉動作の画像が表示されつつ第２音声が鳴る。図４には、閉動作の最初と途中と最後の画像だけを示し、その他の画像を省略している。実際は、ドアの位置が少しずつ異なる複数の静止画が、ドアの位置が完全に閉じた位置（第１の位置）に近づく順に表示されることにより、ドアが閉まる一連の動作の画像が表示される。
【００５２】
ユーザーは、ドアの閉動作中に、第１操作部２１１を押し下げてもよい（図２（ａ）参照）。これにより、ドアの閉動作が止まり、ドアが開動作する。具体的には、第２操作部２１２を押し上げた後（図２（ａ）参照）、ドアの閉動作中に、ユーザーが第１操作部２１１を押し下げたら、判断部２３１（図３参照）は第１操作部２１１が操作されたと判断し、第１操作部２１１が操作されたという判断結果を基に、判断部２３１から画像再生部２３２へ画像ファイルを再生する信号と第１音声ファイルを再生する信号とが出力される。画像再生部２３２にこれらの信号が入力されたら、画像再生部２３２は画像ファイルの逆再生を止め、止まったところから再生に変えるとともに、第２音声ファイルの再生を止め、第１音声ファイルを再生する。画像再生部２３２は、画像表示装置３００へ、画像ファイルの逆再生信号を出力することを止め、画像ファイルの再生信号を出力する。また、画像再生部２３２は、画像表示装置３００へ、第２音声ファイルの再生信号を出力することを止め、第１音声ファイルの再生信号を出力する。画像表示装置３００の画像表示部３００ａに表示される画像は、ドアの閉動作が途中で止まり、途中で止まったところから開動作する。また、スピーカー３００ｂから流れていた第２音声が第１音声に変わる。
【００５３】
上記装置によると、ユーザーが第１操作部２１１を押し下げたら（図２（ａ）参照）、画像ファイルが再生されることにより、画像表示装置３００に、鉄道車両のドアが開く画像が表示される（図４参照）。ユーザーが第２操作部２１２を押し上げたら（図２（ｂ）参照）、画像ファイルが逆再生されることにより、画像表示装置３００に、鉄道車両のドアが閉まる画像が表示される（図４参照）。
上記により、画像表示装置３００が存在する場所であれば、鉄道車両のドアが存在しない場所でも、鉄道車両のドアの開閉操作を体験することができる。また、第１操作部２１１および第２操作部２１２を、実際にドアを開閉するときの操作と同様に操作することにより、鉄道車両のドアの開閉操作を体験することができる。
【００５４】
また、鉄道車両のドアが開く画像が再生されるのと同時に、ドアの開動作を知らせる第１音声データが再生される。これにより、画像表示装置３００にドアの開動作の画像が表示されつつ、ドアの開動作を知らせる音声が鳴る。また、画像が逆再生されるのと同時に、第２音声データが再生されることにより、画像表示装置３００にドアの閉動作の画像が表示されつつ、ドアの閉動作を知らせる音声が鳴る。これにより、鉄道車両のドアが存在する場所でドアの開閉操作をしたときと同様な体験ができる。
【００５５】
以上、本考案の実施形態について図面に基づいて説明したが、具体的な構成は、これらの実施形態に限定されるものでないと考えられるべきである。本考案の範囲は上記した説明ではなく特許請求の範囲によって示され、特許請求の範囲と均等の意味および範囲内でのすべての変更が含まれる。
【００５６】
例えば、上述した第１実施形態に係る画像再生装置１において、記憶部４０に音声ファイルが記憶されていない。しかし、本考案において、画像再生装置の記憶部に音声ファイルが記憶されていてもよい。操作部が操作されたとき、音声ファイルの再生信号が出力されることにより、画像表示装置で音声が再生されてもよい。
【００５７】
また、上述した第２実施形態に係る画像再生装置２０１において、記憶部２４０に音声ファイルが記憶されている。しかし、本考案において、記憶部に音声ファイルが記憶されていなくてよい。例えば、第２実施形態において、記憶部２４０に音声ファイルが記憶されていなくてもよい。
【００５８】
また、上述した第２実施形態において、画像再生装置２０１は、第１操作部２１１および第２操作部２１２とは別の操作部を有し、この操作部が操作されることにより、音声ファイルの再生信号が出力され、画像表示装置３００で音声だけが再生されてもよい。この音声ファイルは、上述した第１音声ファイルまたは第２音声ファイルでもよく、第１音声ファイルおよび第２音声ファイルとは異なる音声ファイルでもよい。
【００５９】
また、上述した第２実施形態に係る画像再生装置２０１では、第１操作部２１１が操作されたら、画像ファイルの再生信号と第１音声ファイルの再生信号とが出力され、画像ファイルの再生と第１音声ファイルの再生が同時に行われる。しかし、第１操作部２１１が操作されたら、画像ファイルの再生信号だけが出力され、音声が出ずに画像ファイルだけが再生されてもよい。
【００６０】
同様に、上述した第２実施形態に係る画像再生装置２０１において、第２操作部２１２が操作されたら、画像ファイルの逆再生信号と第２音声ファイルの再生信号とが出力され、画像ファイルの逆再生と第２音声ファイルの再生が同時に行われる。しかし、第２操作部２１２が操作されたら、画像ファイルの逆再生信号だけが出力され、音声が出ずに画像ファイルが逆再生されてもよい。
【００６１】
また、上述した第２実施形態では、鉄道車両のドアが開く画像ファイルが、ドアの位置が少しずつ異なる複数の静止画を含む。しかし、移動部材が動作する画像ファイルは、動画のファイルでもよい。例えば、画像ファイルが、可動部材が第１の位置から第２の位置へ移動する動画のファイルでもよい。この場合、画像ファイルが再生されることにより可動部材が第１の位置から第２の位置へ移動する画像が表示される。画像ファイルが逆再生されることにより可動部材が第２の位置から第１の位置へ移動する画像が表示される。
【００６２】
また、上述した第２実施形態では、可動部材が第１の位置から第２の位置へ移動する画像のファイルを再生または逆再生することにより、可動部材が一方の位置から他方の位置へ移動する画像が表示される。しかし、本考案の記憶部には、可動部材が第１の位置から第２の位置へ移動する第１の画像のファイルと、可動部材が第２の位置から第１の位置へ移動する第２の画像のファイル、とが記憶されていてもよい。この場合、第１の画像のファイルを再生することにより、可動部材が第１の位置から第２の位置へ移動する画像が表示される。また、第２の画像のファイルを再生することにより、可動部材が第２の位置から第１の位置へ移動する画像が表示される。また、動画ファイルに、音声データが含まれていてもよい。
【００６３】
例えば、上述した第２実施形態に係る画像再生装置２０１は、乗客の乗降口のドアが開く画像を再生または逆再生可能な装置である。しかし、本考案に係る画像再生装置は、乗客の乗降口のドアが閉じる画像を再生または逆再生可能な装置でもよい。この場合、画像を再生することにより、ドアが閉じる画像が表示される。画像を逆再生することにより、ドアが開く画像が表示される。
【００６４】
また、上記第２実施形態では、鉄道車両のドアが開く第１画像および鉄道車両のドアが閉まる第２画像を再生する画像再生装置２０１について説明した。しかし、本考案に係る画像再生装置は、鉄道車両のドアが開く画像および／または鉄道車両のドアが閉まる画像を再生する装置に限られない。例えば、鉄道車両以外の乗物の可動部材が動作する画像を再生する画像再生装置でもよい。例えば、バス、自動車、特殊車両などの可動部材が動作する画像を再生する画像再生装置でもよい。また、乗物のドア以外の可動部材が動作する画像を再生する画像再生装置でもよい。例えば、乗物のドア、窓、椅子、椅子の背もたれなどが動作する画像を再生する画像再生装置でもよい。例えば、本考案の画像再生装置は、鉄道車両の椅子の背もたれが座席に対して右回転または左回転する画像を再生する画像再生装置でもよい。
【００６５】
また、上記第２実施形態では、図２（ａ）に示すように、ユーザーが操作可能な第１操作部２１１と第２操作部２１２が接続されている。鉄道車両のドアを開くとき、第１操作部２１１が押し下げられ、鉄道車両のドアを閉じるとき、第２操作部２１２が押し上げられる。しかし、本考案に係る画像再生装置において、操作部の構成および操作部の操作方法などは、上記に限られず、変更可能である。
【符号の説明】
【００６６】
１、２０１            画像再生装置
１０                  操作部
２０、２２０          コンピュータ
３０、２３０          ＣＰＵ
３１、２３２          画像再生部
４０、２４０          記憶部
１００、３００        画像表示装置
１００ａ、３００ａ    画像表示部
２１１                第１操作部
２１２                第２操作部
２３１                判断部
２６０                筐体
３００ｂ              スピーカー
【図１】
0003235579.tif 000003
【図２】
0003235579.tif 000004
【図３】
0003235579.tif 000005
【図４】
0003235579.tif 000006